(57)【要約】【課題】  係合部材と連結片との結合を介して基板ボックスを確実に封緘可能であり且つ開封後は容易に連結片を取り外して再利用可能な遊技機用制御装置及びそれを備えた遊技機を提供する。【解決手段】連結片１３が装着されたカシメ受け部材１２とベース部材１０本体及び隣接する他のカシメ受け部材１２とをそれぞれ接続する第１の切断部１２ｃと、カシメピン４２の付け根４２ｃ近傍の第２の切断部４２ｂとを、ニッパー等の切断用工具を用いて切断することにより、基板ボックス２を容易に開封可能であると共に、使用済みの連結片１３をカシメ受け部材１２から容易に取り外し、他のカシメ受け部材１２に装着し直して再利用することができる。【選択図】        図１４
2006130185.tif 000002
【特許請求の範囲】
【請求項１】
ベース部材と蓋部材とからなる基板ボックスの内部に遊技機用の制御基板を収納してなる遊技機用制御装置において、
前記ベース部材及び前記蓋部材のうち、一方の部材には係合部材が内側に装着され且つその係合部材の少なくとも係合部分を覆う保護部が設けられると共に、他方の部材には前記係合部材に係合可能な連結片とその連結片が着脱自在に装着される受け部材とが設けられ、
前記受け部材は、切断容易な第１の切断部を介して前記他方の部材の本体と接続され、
前記係合部材は、前記連結片との係合位置よりも前記一方の部材の本体寄り位置に、切断容易な第２の切断部が設けられたことを特徴とする遊技機用制御装置。
【請求項２】
前記保護部には、前記係合部材の第２の切断部を臨むように開口部が形成されたことを特徴とする請求項１に記載の遊技機用制御装置。
【発明の詳細な説明】
【技術分野】
【０００１】
本発明は、パチンコ遊技機、スロットマシン、パチロット遊技機等の遊技機用の制御装置及びそれを備えた遊技機に関するものである。
【背景技術】
【０００２】
パチンコ機などの遊技機においては、制御部などに不正な改造が施されることを防止するため、回路基板を収容した開閉可能な基板ボックスを容易には開閉できなくした筺体封止構造が採用されている。例えば、本出願人は、特許文献１において、筺体と蓋体とで構成されるとともに両者を閉状態で封止する筺体封止構造を備えた基板ボックスを提案している。この基板ボックスにおける筺体封止構造は、Ｕ型に折り返した部位を形成した金属片を有するとともに、筺体の側には、上記筺体と蓋体との接触面に対面して上記金属片におけるＵ型に折り返した両端を挿入可能な挿入穴と、当該挿入穴内にて上記金属片における折り返した内側に係止して抜け止めを図るバネ片とを備え、上記蓋体の側には、上記挿入穴と対面して上記金属片におけるＵ型に折り返した両端を挿通可能な挿通穴を備えた構成としてある。
【０００３】
そして、制御ボックスを閉状態で封止する際には、筺体と蓋体との接触面に対面する筺体の挿入穴と蓋体の挿通穴とを位置合わせした状態で、同挿通穴の側からＵ型に折り返した金属片を挿入していく。筺体の挿入穴の内部にはバネ片が備えられており、同金属片を挿入していくときに当該金属片における折り返した内側部分と係止し、金属片自体の抜け止めが図られる。この状態ではＵ型に折り返した金属片が蓋体の一部を跨ぐようにして筺体の側に挿入されて抜け止めされることになり、筺体と蓋体とは相対的に移動不能となる。従って、両者は封止される。
【０００４】
このようにＵ型に折り返した金属片はその内側部分で抜け止めを図られるようになっており、抜け止めを解除しようとするときには金属片の内側の部位を破壊する必要がある。しかしながら、Ｕ型に折り返された形状となっているので、内側を破壊することは極めて困難であり、結果として不正を防止する効果が高い。すなわち、金属片とバネ片が連携してバネ片への不正を排除することにより、基板ボックスが不正に開かれることを防止している。
【特許文献１】特開２００４−１０５７５５号公報
【発明の開示】
【発明が解決しようとする課題】
【０００５】
しかしながら、上述した従来技術においては、基板ボックスの蓋体と筐体とを結合する金属片及びバネ片を基板ボックスの開封後に取り出すためには、金属片挿入部及び挿入穴形成部を破損させる必要があるが、これらは強度を確保するために合成樹脂で所定の厚さに形成されているため、ニッパー等の切断用工具で切断等することは困難であった。そして、このように金属片やバネ片等の取り外しが困難であるために、これらの連結用部材を再利用することができないという問題があった。さらに、樹脂製部材である筐体や蓋体の内部で、金属製部材である金属片やバネ片等が取外し困難であるため、基板ボックスの廃棄処理時に樹脂部材と金属部材との分別ができないという問題もあった。
【０００６】
解決しようとする課題は、係合部材と連結片との結合を介して基板ボックスを確実に封緘可能であり且つ開封後は連結片を容易に取り外して再利用可能とした遊技機用制御装置及びそれを備えた遊技機を提供することである。
【課題を解決するための手段】
【０００７】
以下、上記課題を解決するのに適した各手段につき、必要に応じて作用効果等を付記しつつ説明する。
１．ベース部材と蓋部材とからなる基板ボックスの内部に遊技機用の制御基板を収納してなる遊技機用制御装置において、
前記ベース部材及び前記蓋部材のうち、一方の部材には係合部材が内側に装着され且つその係合部材の少なくとも係合部分を覆う保護部が設けられると共に、他方の部材には前記係合部材に係合可能な連結片とその連結片が着脱自在に装着される受け部材とが設けられ、
前記受け部材は、切断容易な第１の切断部を介して前記他方の部材の本体と接続され、
前記係合部材は、前記連結片との係合位置よりも前記一方の部材の本体寄り位置に、切断容易な第２の切断部が設けられたことを特徴とする遊技機用制御装置。
手段１によれば、連結片が装着された受け部材において第１の切断部をニッパー等の切断用工具を用いて切断することにより、受け部材が前記他方の部材の本体から分離され、ベース部材と蓋部材との結合が解除されて基板ボックスが開封される。このとき、前記他方の部材から分離された受け部材は、連結片及び係合部材を介して前記一方の部材側に接続されている。さらに、係合部材において連結片との係合位置よりも前記一方の部材の本体寄り位置に設けられた第２の切断部を、切断用工具を用いて切断することにより、係合部材の係合部分と共に連結片及び受け部材を前記一方の部材の本体から分離することができる。従って、手段１によれば、切断用工具を用いて基板ボックスを容易に開封可能であると共に、使用済みの連結片を受け部材から容易に取り外し、同一の基板ボックスの他の受け部材や他の基板ボックスの受け部材に装着し直して再利用することができる。尚、本明細書において「切断容易」とは、ニッパー等の切断用工具を用いて容易に切断が可能であることを云う。
【０００８】
２．前記保護部には、前記係合部材の第２の切断部を臨むように開口部が形成されたことを特徴とする手段１に記載の遊技機用制御装置。
手段２によれば、保護部に形成された開口部よりニッパー等の切断用工具の先端を挿入して、係合部材の第２の切断部を容易に切断することができる。
【０００９】
３．前記他方の部材には前記受け部材が複数個隣接して配設され、
前記第１の切断部は、前記各受け部材と前記他方の部材の本体との間及び前記各受け部材と隣接する他の受け部材との間をそれぞれ接続することを特徴とする手段１又は２に記載の遊技機用制御装置。
手段３によれば、連結片が装着された受け部材と他方の部材の本体との間及びその受け部材と隣接する他の受け部材との間をそれぞれ接続する第１の切断部をニッパー等の切断用工具を用いて切断することにより、受け部材が前記他方の部材の本体及び隣接する他の受け部材から分離され、ベース部材と蓋部材との結合が解除されて基板ボックスが開封される。また、受け部材が複数個配設されているので、一旦開封した後に、未使用の受け部材を使用して再度、基板ボックスを封緘することが可能である。
【００１０】
４．前記保護部と前記受け部材とがスライドにより係合可能に構成されたことを特徴とする手段１乃至３のいずれかに記載の遊技機用制御装置。
手段４によれば、スライドにより係合した保護部と受け部材とに覆われた状態で係合部材と連結片とが係合するので、より確実に係合部材と連結片との係合部分へのアクセスが禁止される。
【００１１】
５．前記係合部材が前記制御基板と一体化され、
その制御基板が前記一方の部材の内側へ装着されることを特徴とする手段１乃至４のいずれかに記載の遊技機用制御装置。
手段５によれば、係合部材が一体化された制御基板を前記一方の部材の内側へ装着することにより、制御基板と係合部材とが前記一方の部材へ同時に装着されるので、それぞれを別々に装着するよりも作業効率が高い。また、基板ボックスを開封する際に係合部材の第２の切断部を切断することにより開封の痕跡が制御基板側に必ず残るため、不正開封を容易且つ確実に発見することができる。
【００１２】
６．前記係合部材は、前記制御基板とは別体で形成され且つ固着により前記制御基板と一体化されたことを特徴とする手段１乃至５のいずれかに記載の遊技機用制御装置。
手段６によれば、係合部材を制御基板とは別個に合成樹脂の成型加工等により容易に製造可能である。また、係合部材は、固着により制御基板と一体化されるので、基板ボックスが不正に開封された場合に制御基板側へ確実に痕跡を残すことができる。
【００１３】
７．前記係合部材は、光硬化性樹脂により前記制御基板に固着されることを特徴とする手段６に記載の遊技機用制御装置。
手段７によれば、係合部材が光硬化性樹脂により制御基板に強固に固着されて一体化されているので、係合部材自体又は制御基板に痕跡を残さずに係合部材を取り外すことは不可能である。
【００１４】
８．前記係合部材は、当該遊技機の機種情報を表示する機種表示部を有することを特徴とする手段６又は７に記載の遊技機用制御装置。
手段８によれば、係合部材が当該遊技機の機種情報（例えば、機種名）を表示する機種表示部を有するので、例えば、透明な合成樹脂によって形成された蓋部材を介して機種情報が外部から視認可能である。また、基板ボックス（すなわち、ベース部材及び蓋部材）側に機種表示部を設ける必要がなく、基板ボックスを各機種の共通部品として大量生産することが可能となる。
【００１５】
９．前記係合部材は、前記制御基板に搭載される電子部品を覆うカバー部を有することを特徴とする手段６乃至８のいずれかに記載の遊技機用制御装置。
手段９によれば、係合部材が制御基板に搭載される電子部品を覆うカバー部を有しているので、基板ボックスの外部から電子部品（特に、制御プログラムを格納するＲＯＭ）に対してアクセスすることが確実に禁止され、不正をより効果的に防止することができる。一方、従来、基板ボックスを構成する蓋部材の内側には不正防止のために各電子部品を囲むリブが立設されていたが、遊技機の機種によって電子部品の配置が異なるため、蓋部材のリブ形状は機種毎に異なっていた。手段９によれば、蓋部材の内側に電子部品の周囲を囲むリブを設ける必要が無くなるため、蓋部材を各機種の共通部品として大量生産することが可能となる。
【００１６】
１０．前記係合部材は、ピン状に形成された係合ピンを有し、
前記連結片は、前記係合ピンの頭部を挿入可能に形成されると共に、前記係合ピンの頭部を係止する係合爪を有することを特徴とする手段１乃至９のいずれかに記載の遊技機用制御装置。
手段１０によれば、係合部材に設けられたピン状の係合ピンが、受け部材に装着された連結片に頭部を挿入され且つ係合爪に係止されることによって引き抜き不能とされる。
【００１７】
１１．前記係合ピンは、くさび形の頭部を有し、
前記連結片は、全体が略コの字形に形成され且つ前記係合ピンのくさび形頭部と係合可能な一対の係合爪が内側に設けられたことを特徴とする手段１０に記載の遊技機用制御装置。
手段１１によれば、係合部材に設けられた係合ピンのくさび形頭部が、全体が略コの字形に形成された連結片に挿入され且つ内側に設けられた一対の係合爪に係合することにより、係合ピンが引き抜き不能とされる。
【００１８】
１２．前記第２の切断部は、前記係合ピンの頭部と付け根部との間の領域であることを特徴とする手段１０又は１１に記載の遊技機用制御装置。
手段１２によれば、係合ピンの頭部と付け根部との間の領域である第２の切断部をニッパー等の切断用工具を用いて切断することにより、係合ピン頭部と共に連結片及び受け部材を前記一方の部材の本体から分離することができる。
【００１９】
１３．前記受け部材は、前記連結片が前記係合部材と係合可能な第１の装着位置と、前記連結片が前記係合部材と係合しない第２の装着位置とを有することを特徴とする手段１乃至１２のいずれかに記載の遊技機用制御装置。
手段１３によれば、受け部材において連結片を第１の装着位置に装着した場合は、連結片が係合部材と係合するのでベース部材と蓋部材との不可逆的結合が図られる。また、連結片は第２の装着位置では係合部材と係合しないので、例えば、予備の連結片を第２の装着位置へ予め装着しておき、必要となった時に第１の装着位置へ装着し直して基板ボックスの封緘に使用することができる。
【００２０】
１４．前記ベース部材と前記蓋部材とは、スライドにより係合可能に構成され、
前記両部材を閉状態となるまで互いにスライドさせることにより前記係合部材が前記連結片と係合するように構成されたことを特徴とする手段１乃至１３のいずれかに記載の遊技機用制御装置。
手段１４によれば、ベース部材と蓋部材とを、対応する各辺が重なる閉状態となるまで互いにスライドさせることにより、係合部材が連結片と係合する。よって、ベース部材と蓋部材とを互いにスライドさせるだけの極めて簡単な作業で両部材を互いに不可逆的に結合させることができる。
【００２１】
１５．前記第１の切断部は、合成樹脂からなることを特徴とする手段１乃至１４のいずれかに記載の遊技機用制御装置。
手段１５によれば、第１の切断部が合成樹脂からなるので、受け部材が第１の切断部を介して他方の部材の本体と強固に接続されると共に、ニッパー等の切断用工具を用いて容易に切断が可能である。
【００２２】
１６．前記係合部材は、少なくとも前記第２の切断部が合成樹脂からなることを特徴とする手段１乃至１５のいずれかに記載の遊技機用制御装置。
手段１６によれば、係合部材の少なくとも第２の切断部が合成樹脂からなるので、係合部材と連結片との係合によりベース部材と蓋部材とが強固に結合されると共に、ニッパー等の切断用工具を用いて容易に切断が可能である。
【００２３】
１７．前記係合部材と前記連結片とは、同一又は同質系の材料からなることを特徴とする手段１乃至１６のいずれかに記載の遊技機用制御装置。
手段１７によれば、係合部材と連結片とが、同一又は同質系の材料からなるので、廃棄時に係合部材と連結片とを分別する必要が無いため処理が容易である。
【００２４】
１８．前記係合部材及び前記連結片は、前記保護部及び前記受け部材と同一又は同質系の材料からなることを特徴とする手段１７に記載の遊技機用制御装置。
手段１８によれば、係合部材及び連結片が、保護部及び受け部材と同一又は同質系の材料からなるので、ベース部材と蓋部材との封緘部分である係合部材、連結片、保護部及び受け部材を廃棄時に分別する必要が無いため処理が容易である。
【００２５】
１９．前記係合部材、前記連結片、前記保護部及び前記受け部材は、前記ベース部材及び前記蓋部材と同一又は同質系の材料からなることを特徴とする手段１８に記載の遊技機用制御装置。
手段１９によれば、係合部材、連結片、保護部及び受け部材は、ベース部材及び蓋部材と同一又は同質系の材料からなるので、基板ボックスを構成する前記各部材を廃棄時に分別する必要が無いため処理が容易である。
【００２６】
２０．前記係合部材及び前記連結片は、合成樹脂からなることを特徴とする手段１７乃至１９のいずれかに記載の遊技機用制御装置。
手段２０によれば、係合部材及び連結片が、合成樹脂（例えば、ポリカーボネート樹脂、アクリル樹脂等）からなるので、成型加工により所望形状の係合部材や連結片を製造することが容易であると共に、廃棄時に係合部材と連結片とを分別をする必要が無いため処理が容易である。
【００２７】
２１．前記係合部材及び／又は前記連結片は、着色されていることを特徴とする手段１乃至２０のいずれかに記載の遊技機用制御装置。
手段２１によれば、係合部材及び／又は連結片が着色されているため、例えば、透明樹脂からなる蓋部材を介して外部から係合部材及び／又は連結片の状態を容易に視認でき、不正が行われた場合には確実に発見することができる。また、着色によって基板ボックスに収容される制御基板のバージョンを示すようにしてもよく、さらに、バージョンのみならず出荷時期を表すようにしても良い。バージョンや出荷時期を着色で示す場合、古い機種の基板ボックスを利用して不正を図ろうとしても着色の違いによって基板ボックスを交換したことが分かるようになる。
【００２８】
２２．手段１乃至２１のいずれかに記載の遊技機用制御装置を備えたことを特徴とする遊技機。
手段２２によれば、切断用工具を用いて遊技機用制御装置の基板ボックスを容易に開封可能であると共に、使用済みの連結片を受け部材から容易に取り外し、当該遊技機の基板ボックスの他の受け部材や他の遊技機の基板ボックスの受け部材に装着し直して再利用することができる。
【００２９】
２３．前記遊技機は、パチンコ遊技機であることを特徴とする手段２２に記載の遊技機。
手段２３によれば、パチンコ遊技機において、切断用工具を用いて遊技機用制御装置の基板ボックスを容易に開封可能であると共に、使用済みの連結片を受け部材から容易に取り外し、当該パチンコ遊技機の基板ボックスの他の受け部材や他のパチンコ遊技機の基板ボックスの受け部材に装着し直して再利用することができる。
【００３０】
２４．前記遊技機は、複数種類の図柄が表示された複数の回転リールを有し、前記各回転リールの回転停止時の図柄の組合わせに基づく入賞態様に応じて遊技球が払い出されるパチロット遊技機であることを特徴とする手段２２に記載の遊技機。
手段２４によれば、パチロット遊技機において、切断用工具を用いて遊技機用制御装置の基板ボックスを容易に開封可能であると共に、使用済みの連結片を受け部材から容易に取り外し、当該パチロット遊技機の基板ボックスの他の受け部材や他のパチロット遊技機の基板ボックスの受け部材に装着し直して再利用することができる。
【００３１】
２５．前記遊技機は、スロットマシンであることを特徴とする手段２２に記載の遊技機。
手段２５によれば、スロットマシンにおいて、切断用工具を用いて遊技機用制御装置の基板ボックスを容易に開封可能であると共に、使用済みの連結片を受け部材から容易に取り外し、当該スロットマシンの基板ボックスの他の受け部材や他のスロットマシンの基板ボックスの受け部材に装着し直して再利用することができる。
【発明の効果】
【００３２】
本発明によれば、連結片が装着された受け部材において第１の切断部をニッパー等の切断用工具を用いて切断することにより、受け部材が前記他方の部材の本体から分離され、ベース部材と蓋部材との結合が解除されて基板ボックスが開封される。このとき、前記他方の部材から分離された受け部材は、連結片及び係合部材を介して前記一方の部材側に接続されている。さらに、係合部材において連結片との係合位置よりも前記一方の部材の本体寄り位置に設けられた第２の切断部を、切断用工具を用いて切断することにより、係合部材の係合部分と共に連結片及び受け部材を前記一方の部材の本体から分離することができる。従って、手段１によれば、切断用工具を用いて基板ボックスを容易に開封可能であると共に、使用済みの連結片を受け部材から容易に取り外し、同一の基板ボックスの他の受け部材や他の基板ボックスの受け部材に装着し直して再利用することができる。
【発明を実施するための最良の形態】
【００３３】
以下、本発明を具体化した一実施形態について図面を参照しつつ説明する。まず、本実施形態の遊技機用制御装置を搭載するパチンコ遊技機（以下、単に「パチンコ機」と称する）１０１の全体構成について、図１及び図２を参照しつつ説明する。図１は、パチンコ機１０１の正面図であり、図２は、パチンコ遊技機１０１の背面図である。
【００３４】
パチンコ機１０１は、図１に示すように、外枠１１０と、その外枠１１０の前部に設けられ外枠１１０の一側部にて開閉可能に支持され且つ遊技盤が装着された本体枠１２０とを備えている。外枠１１０は、パチンコ機１０１のベースとなる枠であり、板材により全体として矩形状に構成され、本体枠１２０を矩形開口内にて開閉可能に支持している。本体枠１２０は、合成樹脂、具体的にはＡＢＳ樹脂により構成されている。本体枠１２０の開閉軸線はパチンコ機１０１の正面から見て左側に上下に延びるように設定されている。
【００３５】
本体枠１２０には、下皿１２１、発射ハンドル１２２、スピーカ１２３等が設けられた下部領域を除く本体枠１２０の前面側を覆うように、ガラス扉枠１３０が本体枠１２０左端の垂直軸心回りに開閉自在に設けられている。ガラス扉枠１３０には、遊技盤に設けられた遊技領域の殆どを外部から視認することができるように略楕円形状の窓部１３１が形成されている。また、ガラス扉枠１３０下端部には、上皿１３２が一体的に設けられている。また、図示しない遊技盤には、ルータ加工が施されることによって複数の開口部が形成されており、各開口部には、普通入賞チャッカー、可変入賞装置、作動チャッカー、図柄変動表示装置、スルーチャッカー等が配設されている。
【００３６】
図柄変動表示装置の制御を行う表示制御基板（図示せず）や、スピーカ１２３における音声出力の制御を行う音声制御基板を含む各種の制御基板は、図２に示すように、パチンコ機１０１背面側に設けた透明樹脂製の裏パック１５０によって覆われている。また、パチンコ機１０１背面の略中央には、パチンコ機１０１の主制御を行う主制御基板１５３を基板ボックス１５２内に収納してなる主制御装置１５１が配設されている。また、主制御装置１５１の下方には、入賞による遊技球の払い出しや図示しないカードユニットからの貸し出し要求に基づいて遊技球の払い出しを行う払出ユニット及び遊技球の発射を行う発射装置の制御を行う払出発射制御基板１６３を基板ボックス１６２内に収納してなる払出発射制御装置１６１が配設されている。尚、主制御装置１５１及び払出発射制御装置１６１が、それぞれ本発明の遊技機用制御装置に相当するものである。
【００３７】
次に、主制御装置１５１の具体的な構成について図３乃至図１２を参照しつつ具体的に説明する。尚、払出発射制御装置１６１も主制御装置１５１と略同一の基板封止構造を有しているので、以下、これら制御装置１５１，１６１に相当する一般的な遊技機用制御装置１として説明を行うこととする。
【００３８】
遊技機用制御装置１（主制御装置１５１又は払出発射制御装置１６１に相当）は、図３に示すように、基板ボックス２（基板ボックス１５２又は１６２に相当）を構成するベース部材１０及び蓋部材２０と、基板ボックス２内に収容される制御基板３（主制御基板１５３又は払出発射制御基板１６３に相当）とから構成される。
【００３９】
ベース部材１０は、透明な合成樹脂（例えば、ポリカーボネート樹脂、アクリル樹脂等）からなり、図４に示すように、略矩形状とした全体形状のうち、蓋部材２０の挿入方向と平行な相対面する辺にレール状のガイド部１１，１１を有しており、蓋部材２０における相対面する辺に形成した鍔状部２４，２４をガイド部１１，１１に沿わせるようにスライドして装着できるようになっている（図３参照）。
【００４０】
ベース部材１０におけるガイド部１１，１１の挿入端とは反対側の辺（図４で左側の長辺）にはカシメ受け部材１２が一端側（図４で左端部側）に２個、他端側（図４で右端側）に５個それぞれ連結形成されている。各カシメ受け部材１２には、ベース部材１０及び蓋部材２０と同一又は同質系の材質としての合成樹脂からなる平面視略コの字形の連結片１３が着脱自在に装着される。また、連結片１３先端の内側には、図５の拡大斜視図に示すように、後述するカシメ部材４０に設けられたカシメピン４２のくさび形頭部４２ａと係合可能な一対の係合爪１３ａ，１３ａが形成されている。
【００４１】
また、カシメ受け部材１２には、図６に示すように、制御基板３０を装着した蓋部材２０が挿入されてきた時にカシメピン４２と係合可能な位置に連結片１３を保持する第１の装着位置１２ａと、挿入されてきたカシメピン４２と係合しない位置に連結片１３を保持する第２の装着位置１２ｂとが形成されている。従って、５個のカシメ受け部材１２のうち、基板ボックス２の今回の封緘に使用されるカシメ受け部材１２では、連結片１３が第１の装着位置１２ａに装着され、今回の封緘には使用されないカシメ受け部材１２では、次回以降の封緘に使用される予備の連結片１３が第２の装着位置１２ｂに装着される。尚、図６では、右端のカシメ受け部材１２において、連結片１３が第１の装着位置１２ａに装着されている。尚、カシメ部材４０が本発明の係合部材を、カシメ受け部材１２が受け部材を、カシメピン４２が係合ピンを、それぞれ構成するものである。
【００４２】
また、各カシメ受け部材１２は、図６に示すように、隣接する他のカシメ受け部材１２及びベース部材１０本体側と、それぞれ第１の切断部１２ｃを介して接続されている。具体的には、隣接するカシメ受け部材１２間に１個、各カシメ受け部材１２とベース部材１０本体との間に２個の第１の切断部１２ｃがそれぞれ形成されている。第１の切断部１２ｃは、比較的に肉薄の合成樹脂により形成されているため、ニッパー等の切断用工具により容易に切断が可能である。
【００４３】
蓋部材２０は、ベース部材１０と同様に透明な合成樹脂（例えば、ポリカーボネート樹脂、アクリル樹脂等）からなり、図７に示すように、各辺がベース部材１０と略整合する平面視略矩形状を呈し且つ深みのある形状となっており、制御基板３をその部品載置面３１の側から蓋部材２０の内側に対面させつつ制御基板３を保持するようにしている。また、ＲＯＭ３ｂへ不正にアクセスすることを防止するために、蓋部材２０の内側には制御基板３０上に載置されたＲＯＭ３ｂの周囲を囲むリブ２０ａが立設されている。尚、図７は、蓋部材２０の内側から視た状態を示す斜視図であり、制御基板３の装着位置を点線にて示している。また、蓋部材２０の挿入端側の辺（図７で左側の長辺）には、ベース部材１０側のカシメ受け部材１２に対応して５個のカシメ保護部２１が設けられ、各カシメ保護部２１と対応するカシメ受け部材１２とはスライドにより係合するように構成されている（具体的には、カシメ保護部２１がカシメ受け部材１２の外側に摺接係合する）。カシメ保護部２１は、図７に示すように、制御基板３が装着された状態で、制御基板３と一体的に設けられたカシメ部材４０のカシメピン４２を覆うカバー状に形成されている。また、図８は、図７のＢ線矢視方向におけるカシメ保護部２１付近の拡大図である。図８に示すように、カシメ保護部２１には、ニッパー等の切断工具の先端を挿入可能とするために、カシメピン４２において頭部４２ａの位置よりも蓋部材２０寄り位置である付け根部４２ｃ近傍の第２の切断部４２ｂを臨むように両側が切り欠かれた開口部２１ａが形成されている。
【００４４】
制御基板３は、遊技機用の制御回路が搭載された図９に示す外観を呈するガラスエポキシ系樹脂基板であり、ＣＰＵ（図示せず）やＲＯＭ３ｂ、コネクタ等の各種電子部品が部品載置面３ａに載置されている。制御基板３には、ベース部材１０への挿入端側の辺（図９で左側の長辺）にカシメ部材４０が固着され、制御基板３とカシメ部材４０とが一体化されている。
【００４５】
カシメ部材４０は、ベース部材１０及び蓋部材２０と同一又は同質系の材質としての合成樹脂からなり、図１０に示すように、細長い板状の取り付け部４１と、取り付け部４１より垂直に突設され且つ挿入方向へ屈曲したカシメピン４２と、取り付け部４１の挿入方向とは反対側の辺（図１０で右側の長辺）より垂直に突設され且つ制御基板３の部品載置面３ａと平行な板状の機種表示部４３とを有している。取り付け部４１には、制御基板３に載置された各種のコネクタを臨み且つ各コネクタの周囲を囲むように立設された開口部４１ａが形成され、これら開口部４１ａのいずれかとコネクタとの隙間に光硬化性樹脂を充填して硬化させることにより、カシメ部材４０が制御基板３の部品載置面３ａに固着されて制御基板３と一体化される。各カシメピン４２には、カシメ受け部材１２に装着された連結片１３と係合可能なくさび形の頭部４２ａが形成されており、頭部４２ａと付け根部４２ｃとの間の領域が、基板ボックス２開封時に切断される第２の切断部４２ｂとなっている。機種表示部４３には、カシメ部材４０の樹脂成型時に、当該遊技機の機種名や機種番号等の機種情報が刻設される。また、機種表示部４３は、蓋部材２０の内側に形成されたリブに整合する長方形状に形成されており、蓋部材２０の内側においてカシメ部材４０を位置決めする作用をも有している。
【００４６】
次に、基板ボックス２の封緘・開封の各作業内容及び各部の作用について詳細に説明する。最初に、基板ボックス２の封緘作業について、図３乃至図１２を参照しつつ説明する。
【００４７】
まず、カシメ部材４０が一体化された制御基板３（図９参照）を、蓋部材２０の内側に部品載置面３ａを向けて装着する（図７参照）。一方、ベース部材１０では、５個のカシメ受け部材１２のうち、少なくとも１つのカシメ受け部材１２において第１の装着位置１２ａへ連結片１３を装着する（図４参照）。好ましくは、図４で右側に設けられた３個のカシメ受け部材１２のうちの一つと、左側に設けられた２個のカシメ受け部材１２のうちの一つとについて、それぞれ第１の装着位置１２ａに連結片１３を装着しておく。残りのカシメ受け部材１２については、連結片１３を装着しなくても構わないが、予備用の連結片１３を第２の装着位置１２ｂにそれぞれ装着しておいてもよい。
【００４８】
続いて、蓋部材２０の鍔状部２４，２４をベース部材１０のガイド部１１，１１に沿わせるようにスライドし（図３参照）、蓋部材２０の各辺がベース部材１０の対応する各辺と重なる閉状態となるまでスライドさせていく。このとき、第１の装着位置１２ａに連結片１３が装着されたカシメ受け部材１２において、カシメ部材４０に設けられたカシメピン４２のくさび形頭部４２ａが略コの字形の連結片１３の内側に挿入されると共に、連結片１３の内側に設けられた一対の係合爪１３ａ，１３ａによってくさび形頭部４２ａが係止されて抜け止めが図られる（図１２における右端のカシメ受け部材１２）。このように、ベース部材１０と蓋部材２０とを互いにスライドさせるだけの極めて簡単な作業で基板ボックス２の封緘が完了する。尚、この状態で、カシメピン４２と連結片１３との係合部分は、ベース部材１０のカシメ受け部材１２と蓋部材２０のカシメ保護部２１とによって上下を覆われており、外部からアクセスすることはできない。
【００４９】
次に、封緘された基板ボックス２の開封作業について、図１３乃至図１４を参照しつつ説明する。まず、カシメピン４２がかしめ付けられているかしめ受け部材１２について、各第１の切断部１２ｃをニッパー等を用いて切断する。例えば、図１３（ａ）では、右側のカシメ受け部材１２と隣接する中央のカシメ受け部材１２とを接続する第１の切断部１２ｃ、及び右側のカシメ受け部材１２とベース部材１０本体とを接続する２個の第１の切断部１２ｃ、１２ｃの３箇所を切断する。カシメピン４２が連結片１３に結合されているすべてのカシメ受け部材１２について、必要な第１の切断部１２ｃの切断が完了することにより、ベース部材１０と蓋部材２０との結合が解除される。尚、図１３（ａ）及び図１４（ａ），（ｂ）では、カシメピン４２と連結片１３との係合部分を見易くするために、蓋部材２０の図示を省略している。
【００５０】
続いて、この状態で蓋部材２０をベース部材１０に対して反挿入方向（Ａ’方向）へスライドさせることにより、蓋部材２０がベース部材１０から完全に引き抜かれて分離される。この時、各第１の切断部１２ｃが切断されたカシメ受け部材１２は、ベース部材１０から分離され、カシメピン４２を介して連結された蓋部材２０側に位置している（図１３（ｂ）参照）。また、この状態において、制御基板３は部品載置面３ａが蓋部材２０によって覆われているので、ＲＯＭ等の電子部品へはアクセスすることができない。次に、カシメ保護部２１の開口部２１ａへニッパー等の先端を挿入して、カシメピン４２の第２の切断部４２ｂを切断する（図８、図１４（ａ）参照）。そして、カシメ受け部１２と第２の切断部４２ｂで切断されたカシメピン４２の先端側とをカシメ保護部２１からスライドさせて引き抜くことにより（図１４（ｂ）参照）、制御基板３を蓋部材２０から分離可能な状態となる。また、引き抜いたカシメ受け部材１２からは、連結片１３を上方へ容易に取り外すことができ（図１４（ｂ）参照）、他のカシメ受け部材１２へ装着し直して、再度、基板ボックス２の封緘に利用することができる。
【００５１】
以上詳述したことから明らかなように、本実施形態によれば、連結片１３が装着されたカシメ受け部材１２とベース部材１０本体及び隣接する他のカシメ受け部材１２とをそれぞれ接続する第１の切断部１２ｃと、カシメピン４２において連結片１３との係合位置である頭部４２ａよりも蓋部材２０寄り位置である付け根４２ｃ近傍の第２の切断部４２ｂとを、切断用工具を用いて切断することにより、基板ボックス２を容易に開封可能であると共に、使用済みの連結片１３をカシメ受け部材１２から容易に取り外し、当該パチンコ遊技機１０１における同一の基板ボックス２の他のカシメ受け部材１２や他のパチンコ遊技機１０１における基板ボックス２のカシメ受け部材１２に装着し直して再利用することができる。尚、第１の切断部１２ｃと第２の切断部４２ｂとは、共に合成樹脂によって形成されているので、ニッパー等の切断用工具を用いて容易に切断が可能である。
【００５２】
また、カシメ保護部２１には、カシメピン４２の付け根４２ｃ近傍の第２の切断部４２ｂを臨むように開口部２１ａが形成されているので、開口部２１ａよりニッパー等の切断用工具の先端を挿入して、カシメピン４２にの第２の切断部４２ｂを容易に切断することができる。
【００５３】
また、カシメ保護部２１とカシメ受け部材１２とがスライドにより係合可能に構成され、スライドにより係合したカシメ保護部２１とカシメ受け部材１２とに覆われた状態でカシメピン４２と連結片１３とが係合するので、より確実にカシメピン４２と連結片１３との係合部分へのアクセスが禁止される。
【００５４】
また、カシメ部材４０が一体化された制御基板３を蓋部材２０の内側へ装着することにより、制御基板４０とカシメ部材４０とが蓋部材２０に同時に装着されるので、それぞれを別々に装着するよりも作業効率がよい。また、基板ボックス２を開封する際にカシメピン４２に設けられた第２の切断部４２ｂを切断することにより開封の痕跡が制御基板３側に必ず残るため、不正開封を容易且つ確実に発見することができる。特に、カシメ部材４０は、制御基板３とは別体で形成され且つ固着により制御基板３と一体化されるので、カシメ部材４０を制御基板３とは別個に合成樹脂の成型加工等により容易に製造可能である。また、カシメ部材４０が光硬化性樹脂により制御基板３に強固に固着されて一体化されているので、カシメ部材４０自体又は制御基板３に痕跡を残さずにカシメ部材４０を取り外すことは不可能である。また、カシメ部材４０が当該遊技機の機種情報（例えば、機種名）を表示する機種表示部４３を有するので、透明な合成樹脂によって形成された蓋部材２０を介して機種情報が外部から視認可能である。また、基板ボックス２（すなわち、ベース部材１０及び蓋部材２０）側に機種表示部を設ける必要がなく、基板ボックス２を各機種の共通部品として大量生産することが可能となる。
【００５５】
さらに、遊技機用制御装置１では、制御基板３を除き、基板ボックス２を構成する全ての部材（カシメ受け部材１２を含むベース部材１０，カシメ保護部２１を含む蓋部材２０、カシメ部材４０及び連結片１３）が同一又は同質系の材料としての合成樹脂によって形成されているため、廃棄時に分別する必要が無く、リサイクル性に優れているという利点がある。
【００５６】
尚、本発明は上述した実施の形態に限定されるものではなく、本発明の主旨を逸脱しない範囲で種々の変更を施すことが可能である。例えば、前記実施形態では、本発明の遊技機用制御装置をパチンコ遊技機に適用した例を示したが、他の各種遊技機に適用することも可能である。
【００５７】
具体的には、本発明をパチロット遊技機に適用してもよい。図１５は、パチロット遊技機の一例を示す正面斜視図である。パチロット遊技機２０１は、複数種類の図柄が表示された複数（３個）の回転リール２０２、各回転リール２０２の回転起動操作を行うスタートレバー２０３、左・中・右の回転リール２０２にそれぞれ対応して設けられたストップスイッチ２０４等を備え、各回転リール２０２の回転停止時の図柄の組合わせに基づく入賞態様に応じて遊技球が払い出されるように構成されている。また、図示しないが、パチロット遊技機２０１の背面側にも、パチンコ機１０１と同様に遊技機用制御装置１が装着され、メンテナンスのために切断用工具を用いて基板ボックス２を容易に開封可能であると共に、使用済みの連結片１３をカシメ受け部材１２から容易に取り外し、当該パチロット遊技機２０１における同一の基板ボックス２の他のカシメ受け部材１２や他のパチロット遊技機２０１における基板ボックス２のカシメ受け部材１２に装着し直して再利用することができる。
【００５８】
或いは、本発明をスロットマシンに適用してもよい。図１６は、スロットマシンの一例を示す正面図である。スロットマシン３０１は、複数種類の図柄が表示された複数（３個）の回転リール３０２、各回転リール３０２の回転起動操作を行うスタートレバー３０３、左・中・右の回転リール３０２にそれぞれ対応して設けられたストップスイッチ３０４等を備え、各回転リール３０２の回転停止時の図柄の組合わせに基づく入賞態様に応じて遊技メダルが払い出されるように構成されている。また、図示しないが、スロットマシン３０１の背面側にも、パチンコ機１０１と同様に遊技機用制御装置１が装着され、メンテナンスのために切断用工具を用いて基板ボックス２を容易に開封可能であると共に、使用済みの連結片１３をカシメ受け部材１２から容易に取り外し、当該スロットマシン３０１における同一の基板ボックス２の他のカシメ受け部材１２や他のスロットマシン３０１における基板ボックス２のカシメ受け部材１２に装着し直して再利用することができる。
【００５９】
また、前記実施形態では、制御基板３が蓋部材２０の内側に装着される構成とし、制御基板３と一体的に設けられたカシメ部材４０が、ベース部材１０側に設けられたカシメ受け部材１２の連結片１３と係合する構成としたが、これには限られず、制御基板３がベース部材１０の内側に装着される構成とし、制御基板３と一体的に設けられたカシメ部材が蓋部材２０側に設けられたカシメ受け部材の連結片と係合する構成としてもよい。要するに、基板ボックスを構成するベース部材及び蓋部材のうち、一方の部材には係合部材が内側に装着され且つその係合部材の少なくとも係合部分を覆う保護部が設けられると共に、他方の部材には前記係合部材に係合可能な連結片とその連結片が着脱自在に装着される受け部材とが設けられ、前記受け部材は、切断容易な第１の切断部を介して前記他方の部材の本体と接続され、前記係合部材は、前記連結片との係合位置より前記一方の部材の本体寄り位置に切断容易な第２の切断部が設けられる構成であればよい。
【００６０】
また、前記実施形態では、ＲＯＭ３ｂへの不正を防止するために蓋部材２０の内側にＲＯＭ３ｂの周囲を囲むリブ２０ａを立設する構成としたが、カシメ部材４０に制御基板３０上の電子部品を覆うカバー部を設ける構成としてもよい。例えば、図１７及び図１８に示す変形例では、カシメ部材４０の機種表示部４３に連続して制御基板３０上のＲＯＭ３ｂを覆うカバー部４４が形成されている。カバー部４４は、ＲＯＭ３ｂの外形よりも一回り大きい一面が開口された箱状に形成されている。本変形例によれば、基板ボックス２の外部からＲＯＭ３ｂに対するアクセスがカバー部４４によって妨げられ、不正をより効果的に防止することができる。また、蓋部材２０の内側に各機種の制御基板における電子部品の配置に合わせてＲＯＭ３ｂ等の電子部品を囲むリブ２０ａを形成する必要が無くなるため、蓋部材２０を各機種の共通部品として大量生産することが可能となる。尚、図１７の例は、カバー部４４がＲＯＭ３ｂのみを覆うように構成されているが、他の電子部品についてもそれぞれを個別に覆うカバー部を設ける構成としてもよい。つまり、本変形例は、「ベース部材と蓋部材とからなる基板ボックスの内部に遊技機用の制御基板を収納してなる遊技機用制御装置において、前記ベース部材及び前記蓋部材のうち、一方の部材には係合部材が内側に装着されると共に、他方の部材には前記係合部材に係合可能な被係合部材が設けられ、前記係合部材が、前記制御基板に搭載される電子部品を覆うカバー部を有することを特徴とする遊技機用制御装置。」である。
【００６１】
また、前記実施形態において、カシメ部材４０及び／又は連結片１３を着色された樹脂により構成してもよい。本変形例によれば、カシメ部材４０及び／又は連結片１３が着色されているため、透明樹脂からなる蓋部材２０を介して外部からカシメ部材４０及び／又は連結片１３の状態を容易に視認でき、不正が行われた場合には確実に発見することができる。また、着色によって基板ボックス２に収容される制御基板３のバージョンを示すようにしてもよく、さらに、バージョンのみならず出荷時期を表すようにしても良い。バージョンや出荷時期を着色で示す場合、古い機種の基板ボックス２を利用して不正を図ろうとしても着色の違いによって基板ボックス３を交換したことが分かるようになる。
【産業上の利用可能性】
【００６２】
本発明は、パチンコ遊技機、スロットマシン、パチロット遊技機等の各種遊技機及びその制御装置に適用可能である。
【図面の簡単な説明】
【００６３】
【図１】本発明の一実施形態のパチンコ遊技機を示す正面図である。
【図２】パチンコ遊技機を示す背面図である。
【図３】本発明の一実施形態の遊技機用制御装置を示す斜視図である。
【図４】ベース部材を示す斜視図である。
【図５】連結片を拡大して示す斜視図である。
【図６】ベース部材のカシメ受け部材付近を拡大して示す斜視図である。
【図７】蓋部材を内側から視た状態を示す斜視図である。
【図８】図７のＢ線矢視方向におけるカシメ保護部付近の拡大図である。
【図９】カシメ部材が一体化された制御基板を示す斜視図である。
【図１０】カシメ部材を示す斜視図である。
【図１１】カシメ部材がカシメ受け部材側にかしめ付けられた状態を示す斜視図である。
【図１２】カシメピンと連結片とが連結された状態を拡大して示す斜視図である。
【図１３】（ａ）はカシメ受け部材の切断箇所を、（ｂ）は蓋部材をベース部材より引き抜く様子をそれぞれ示す斜視図である。
【図１４】（ａ）はカシメピンの切断箇所を、（ｂ）はカシメ受け部材及び連結片を取り外す様子をそれぞれ示す斜視図である。
【図１５】パチロット遊技機の一例を示す斜視図である。
【図１６】スロットマシンの一例を示す正面図である。
【図１７】変形例におけるカシメ部材を示す斜視図である。
【図１８】変形例におけるカシメ部材が一体化された制御基板を示す斜視図である。
【符号の説明】
【００６４】
１    遊技機用制御装置
２    基板ボックス
３    制御基板
１０    ベース部材
１２    カシメ受け部材（受け部材）
１２ａ  第１の装着位置
１２ｂ  第２の装着位置
１２ｃ  第１の切断部
１３    連結片
１３ａ  係合爪
２０    蓋部材
２１    カシメ保護部
４０    カシメ部材（係合部材）
４２    カシメピン（係合ピン）
４２ａ  くさび形頭部
４２ｂ  第２の切断部
４２ｃ  付け根部
４３    機種表示部
４４    カバー部
１０１    パチンコ遊技機（遊技機）
１５１    主制御装置（遊技機用制御装置）
１５２    基板ボックス
１５３    主制御基板（制御基板）
１６１    払出発射制御装置（遊技機用制御装置）
１６２    基板ボックス
１６３    払出発射制御基板（制御基板）
２０１    パチロット遊技機（遊技機）
３０１    スロットマシン（遊技機）
【図１】
2006130185.tif 000003
【図２】
2006130185.tif 000004
【図３】
2006130185.tif 000005
【図４】
2006130185.tif 000006
【図５】
2006130185.tif 000007
【図６】
2006130185.tif 000008
【図７】
2006130185.tif 000009
【図８】
2006130185.tif 000010
【図９】
2006130185.tif 000011
【図１０】
2006130185.tif 000012
【図１１】
2006130185.tif 000013
【図１２】
2006130185.tif 000014
【図１３】
2006130185.tif 000015
【図１４】
2006130185.tif 000016
【図１５】
2006130185.tif 000017
【図１６】
2006130185.tif 000018
【図１７】
2006130185.tif 000019
【図１８】
2006130185.tif 000020